(57)【要約】【課題】片手で絞り紐を引っ張ることができ、尚かつ片手で簡単かつ迅速に絞り紐を解放して緩めることができる機構とする。【解決手段】衣類１０の絞り対象部１１に形成された紐通し部に挿通された絞り紐２によって当該絞り対象部１１を絞るための絞り機構であり、絞り紐２の任意の箇所で当該絞り紐２を係止させて絞り対象部１１を絞った状態を維持するとともに、所定の外力を受けた場合に絞り紐２を解放する紐係止具３と、所定以上の外力で引っ張られた場合に紐係止具３に対して絞り紐２を解放するに足る外力を作用させる解放引き手４と、を備える。解放引き手４は、例えば、引っ張られた場合に挟持部材３ａ，３ｂに対して押圧力を作用させるように紐係止具３を囲繞している。【選択図】図４
2011142957.tif 000002
【特許請求の範囲】
【請求項１】
衣類等の絞り対象部に形成された紐通し部に挿通された絞り紐によって当該絞り対象部を絞るための絞り機構において、
前記絞り紐の任意の箇所で当該絞り紐を係止させて前記絞り対象部を絞った状態を維持するとともに、所定の外力を受けた場合に前記絞り紐を解放する紐係止具と、
所定以上の外力で引っ張られた場合に前記紐係止具に対して前記絞り紐を解放するに足る外力を作用させる解放引き手と、
を備える、絞り機構。
【請求項２】
前記紐係止具は、前記絞り紐を挟み込むように付勢されている挟持部材を備える、請求項１に記載の絞り機構。
【請求項３】
前記解放引き手は、引っ張られた場合に前記挟持部材に対して押圧力を作用させるように前記紐係止具を囲繞している、請求項２に記載の絞り機構。
【請求項４】
前記解放引き手に、前記絞り紐を通す透孔が形成されている、請求項３に記載の絞り機構。
【請求項５】
前記挟持部材を構成する解放ボタンと、前記解放引き手のつまみ部とが、前記絞り紐を中心にして互いに反対に配置されている、請求項４に記載の絞り機構。
【請求項６】
前記絞り紐の端部に絞り用引き手が設けられている、請求項５に記載の絞り機構。
【請求項７】
前記解放引き手が、前記絞り対象部の近傍に固着されている、請求項１から６のいずれか一項に記載の絞り機構。
【請求項８】
前記絞り紐が伸縮性のあるゴム紐である、請求項１から７のいずれか一項に記載の絞り機構。
【請求項９】
請求項１から８のいずれか一項に記載の絞り機構が手差込口に設けられた、グローブ。
【請求項１０】
前記手差込口の周囲のうち親指の側に前記解放引き手が配置されている、請求項９に記載のグローブ。
【発明の詳細な説明】
【技術分野】
【０００１】
本発明は、絞り機構に関する。さらに詳述すると、本発明は、絞り紐を簡単かつ迅速に解放する構造の改良に関する。
【背景技術】
【０００２】
衣類の袖口、裾、開口（例えばグローブの手差込口）などにおいて、紐の張力を利用して袖等を適度に絞ることができるようにした絞り機構が利用されている。従来、このような絞り機構として、片手で簡単に絞ることができるようにした登山用品等に適したもの（例えば特許文献１参照）、靴の履口カバーの筒部の太さを簡単な調節できるようにしたもの（例えば特許文献２参照）、上衣の裾絞り紐を迅速に解放（リリース）できるようにしたもの（例えば特許文献３参照）などが提案されている。
【先行技術文献】
【特許文献】
【０００３】
【特許文献１】特開平１１−２０６９１７号公報
【特許文献２】実用新案登録第３０５１８４５号公報
【特許文献３】実用新案登録第３０８０３６８号公報
【発明の概要】
【発明が解決しようとする課題】
【０００４】
しかしながら、従来の絞り機構の場合、絞り紐を解放するには、絞り紐を係止した状態のコードストッパーを直接つまんで解放ボタンを押すといった解放動作が必要であり、特に冬季等にグローブを装着しているような状況下においては簡単かつ迅速な動作が難しい場合がある。
【０００５】
この点、上述のごとく絞り紐を迅速に解放できるようにした機構が提案されてはいるが、その反面、絞り紐を絞る際には両手での操作を要するものとなっており、グローブ等へも適用できるような汎用性のある機構とはなっていない。グローブ等にも好適な絞り機構を実現するには、片手で絞り紐を引っ張ることができ、尚かつ片手で簡単かつ迅速に絞り紐を解放して緩めることができる機構であることが望ましい。
【０００６】
そこで、本発明は、片手で絞り紐を引っ張ることができ、尚かつ片手で簡単かつ迅速に絞り紐を解放して緩めることができる絞り機構を提供することを目的とする。
【課題を解決するための手段】
【０００７】
かかる課題を解決するべく本発明者は種々の検討を行った。従来は、手袋を装着したままでも絞り紐を解放する操作が行いやすいようにするため、また、操作領域（例えば上述のコードストッパーのような装置であれば押圧される解放ボタンの設置面積）が狭いと局所に力がかかり押さえにくいこともあり、グローブ等の絞り機構においては比較的大型のコードストッパーが採用されている。ところが、例えば冬用向けなどのような厚手のグローブであると指先の感覚が鈍くならざるを得ないから、コードストッパーの解放ボタンをつまんで押さえるというような素手であれば造作ないこともグローブを装着したままでは意外と難しく、ユーザーに煩わしさや鬱陶しさを感じさせるおそれがある。従来、このような実情から、特に冬用グローブにおいては解放ボタン等の押さえ部の大きなコードストッパーが採用される傾向にあるが、その反面、コードストッパー自体が大きいことにより、グローブ等の絞り機構の嵩、重量、さらにはコストがかさむことにもなっている。これらの点をふまえつつ、グローブを装着したままでも絞り紐を解放して緩める動作が簡単であり、尚かつ嵩、重量、コストを低減することもできる構成について検討を重ねた本発明者は、かかる課題の解決に結び付く新たな知見を得るに至った。
【０００８】
本発明はかかる知見に基づくものであり、衣類等の絞り対象部に形成された紐通し部に挿通された絞り紐によって当該絞り対象部を絞るための絞り機構において、絞り紐の任意の箇所で当該絞り紐を係止させて絞り対象部を絞った状態を維持するとともに、所定の外力を受けた場合に絞り紐を解放する紐係止具と、所定以上の外力で引っ張られた場合に紐係止具に対して絞り紐を解放するに足る外力を作用させる解放引き手と、を備えるものである。
【０００９】
この絞り機構においては、絞り紐を引っ張れば絞り対象部を絞ることができるため、絞り動作を片手で行うことが可能である。また、解放引き手を引っ張れば、紐係止具に対して絞り紐を解放するに足る外力を作用させ、絞り紐を解放することができる。つまり、従来のようにコードストッパーを直接つまんで解放ボタンを押すといった解放動作をせずとも、片手で簡単かつ迅速に絞り紐を解放して緩めることができる。かかる解放動作は、グローブは装着した状態であっても行いやすい。また、絞り紐を片手で引っ張ることができるように絞り紐を固定している部材と、片手で解放することができるようにする部材とを一体のパーツ（解放引き手）で構成することが可能である。
【００１０】
紐係止具は、例えば、絞り紐を挟み込むように付勢されている挟持部材を備えるものである。
【００１１】
解放引き手は、引っ張られた場合に挟持部材に対して押圧力を作用させるように紐係止具を囲繞していてもよい。
【００１２】
この場合、解放引き手に、絞り紐を通す透孔が形成されていてもよい。
【００１３】
また、挟持部材を構成する解放ボタンと、解放引き手のつまみ部とが、絞り紐を中心にして互いに反対に配置されていることが好ましい。
【００１４】
さらに、絞り紐の端部に絞り用引き手が設けられていることが好ましい。
【００１５】
また、解放引き手が、絞り対象部の近傍に固着されていることが好ましい。
【００１６】
絞り紐が伸縮性のあるゴム紐であることも好ましい。
【００１７】
本発明にかかる絞り機構は、例えばグローブの手差込口に設けられても好ましい。この場合、手差込口の周囲のうち親指の側に解放引き手が配置されていることが好ましい。
【発明の効果】
【００１８】
本発明によれば、片手で絞り紐を引っ張ることができ、尚かつ片手で簡単かつ迅速に絞り紐を解放して緩めることができる。
【図面の簡単な説明】
【００１９】
【図１】本発明の絞り機構を適用したグローブの一例を示す全体図である。
【図２】図１に示したグローブの絞り機構の拡大図である。
【図３】絞り動作時の絞り機構の様子を示す図である。
【図４】解放動作時の絞り機構の様子を示す図である。
【発明を実施するための形態】
【００２０】
以下、本発明の構成を図面に示す実施の形態の一例に基づいて詳細に説明する。
【００２１】
図１〜図４に本発明にかかる絞り機構の実施形態を示す。以下では、絞り対象部に絞り機構１が設けられる衣類の一例としてグローブ１０を例示して説明する。
【００２２】
絞り機構１は、グローブ１０の絞り対象部である手差込口１１を絞った状態に維持するための機構である。グローブの手差込口１１には周回するように紐通し部１２が形成されており、当該紐通し部１２にコード（絞り紐）２が挿通されている（図１参照）。絞り機構１は、当該コード２を係止させるコードストッパー（紐係止具）３と、コード２を解放する際に用いる解放引き手４を備えている。
【００２３】
コード（絞り紐）２は、グローブ１０の手差込口１１を絞った状態にするため紐通し部１２に挿通されて手差込口１１を周回し、当該手差込口１１の近傍の紐孔から引き出されている。例えば、本実施形態の場合、手差込口１１の周囲のうちの内側（肘内側、ないしは親指側）に図示しない紐孔（はとめ）が設けられており、当該紐孔から、周回した状態のコード２の両端が引き出されている（図１参照）。引き出されたコード２は、さらにコードストッパー３と、解放引き手４の紐通し孔４ａに通され、束ねられている。束ねられたコード２の両端には、樹脂製などの絞り用引き手５が設けられている（図１等参照）。この絞り用引き手５は、絞る際にコード２を引っ張る動作を容易にすることはもちろん、コード２の端部が紐通し孔４ａや透孔３ｃを抜けてしまうのを防ぐストッパとしても機能する。もちろん、このような絞り用引き手５は必須のものではなく、これを設ける代わりにコード２の末端を結ぶようにしても構わない。コード２としては、例えば合成繊維が編み上げられた紐などの他、伸縮性のあるゴム紐などを用いることも好ましい。
【００２４】
コードストッパー３は、コード２の任意の箇所を係止させてグローブ１０の手差込口１１を絞った状態に維持する紐係止具である。このコードストッパー３自体は、公知の構成のものであって構わない。例えば本実施形態で用いるコードストッパー３は、ケーシング（一の挟持部材）３ａと、該ケーシング３ａ内でスライド可能な解放ボタン（他の挟持部材）３ｂと、解放ボタン３ｂを一方向に付勢する図示しない付勢部材とからなる係止具である。ケーシング３ａと解放ボタン３ｂとにはコード２用の透孔３ｃが形成されており（図３、図４参照）、両透孔３ｃの相対位置をずらすことによってコード２の任意の箇所を挟み込み係止させるようになっている。解放ボタン３ｂが押し込まれると、両透孔３ｃの重なり領域が大きくなり、コード２を挟み込む力が弱くなって当該コード２が解放された状態になる。
【００２５】
解放引き手４は、ユーザー（主として、当該グローブ１０を装着している本人）が所定以上の力で引っ張った場合に、コードストッパー３に対してコード２を解放するに足る外力を作用させる引き手として構成されている（図２等参照）。例えば本実施形態の解放引き手４は、伸縮性の小さい合成皮革などであって、コードストッパー３を囲繞してその周囲を取り巻き、さらにつまみ部（引き手部）４ｂが形成されるに十分な長さと幅を有する材料で形成されている（図２等参照）。該材料の両端部分は重ね合わせられ、縫糸や接着剤などによって一体とされてつまみ部４ｂとされている。本実施形態の解放引き手４は、縫糸などにより、上述したコード２の紐孔上ないしはその付近に固着されている（図１等参照）。また、解放引き手４には、コード２を通す紐通し孔４ａが形成されている（図２等参照）。
【００２６】
なお、解放引き手４は、ユーザーによって引っ張られた場合に、コードストッパー３に対してコード２を解放するための力（本実施形態であれば解放ボタン３ｂを押し込む力）をより有効に作用させるように構成されていることが好ましい。例えば本実施形態では、解放ボタン３ｂと、解放引き手４のつまみ部４ｂとを、コード２を中心にして互いに反対に位置するように絞り機構１を構成している（図３等参照）。こうした場合、解放引き手４が引っ張られる力の多くを、解放ボタン３ｂを押し込むための力として作用させやすい（図４参照）。
【００２７】
このような絞り機構１を備えたグローブ１０において手差込口１１を絞る際には、片手でコード２を引っ張ればよい（図３等参照）。例えば図１に示すような右手用グローブ１０を装着したユーザーは、左手でコード２を引っ張るだけで、紐孔から当該コード２を引っ張り出して手差込口１１を所望の程度まで絞ることができる。本実施形態の場合、コード２の端部に絞り用引き手５が設けられているためコード２を引っ張りやすい。
【００２８】
また、絞り状態にあるコード２を解放する（絞りを少し緩めるためにコード２を僅かに解放する場合を含む）には、片手で解放引き手４を引っ張ればよい（図４参照）。こうした場合、引っ張られて変形した解放引き手４を介して、コードストッパー３に、解放ボタン３ｂを押し込むような外力（押圧力）が作用する。しかも、解放時には、このように解放ボタン３ｂを押し込むための力だけでなく、解放引き手４を引っ張ることによってグローブ１０の手差込口１１の全体が開く方向に引く力も作用するので、片手でも解放動作をしやすくなっている。解放ボタン３ｂが押し込まれたコードストッパー３は、コード２による絞り状態を維持するための係止力を弱め、コード２が紐孔から紐通し部１２へと引き込まれるのを許容する。解放ボタン３ｂを押し込む外力（押圧力）は、解放引き手４を引っ張る力の大きさによって変化するから、例えばコード２を一瞬にして解放したいと考えるユーザーは、解放引き手４を強めに引っ張ることでコードストッパー３による係止力を一気に弱め、解放動作を瞬間的に行うことができる。
【００２９】
上述のごとき絞り機構１によれば、コード２を解放するには解放引き手４をつまんで引っ張るだけでよいから、片手（もう一方の手）に冬季用等の厚手のグローブを装着しているような状況下であっても解放動作を簡単かつ迅速に行うことが可能である。例えば、コードストッパー３を指でつまんで解放ボタン３ｂを直接的に押し込む必要がある従来の絞り機構の場合だと、コードストッパー３が傾いていたとしてもボタン押し込み方向から指でつままなければならないため、素手であっても一発で瞬間的に解放動作を行うことは難しく、ましてやグローブを装着して指先間隔が鈍くなっていれば視認無しでの解放動作はきわめて困難であった。これに対し、本実施形態の絞り機構１によれば、どのような形であっても解放引き手４をつまんで引っ張るだけでよいから、解放時にもたつくことなく瞬間的に動作することが可能となる。ちなみに、本実施形態の絞り機構１は、ユーザーがコードストッパーを直接つまんで解放ボタンを押すといった解放動作を妨げるものではない。
【００３０】
また、本実施形態の絞り機構１では、解放引き手４を利用してコードストッパー３の解放ボタン３ｂを押し込むための力を間接的に作用させる構成、換言すれば、コードストッパー３を指でつまんで解放ボタン３ｂを直接的に押し込む必要がない構成としているから、解放ボタン３ｂの押さえ部が大きくなくても構わない。したがって、従来よりも小型のコードストッパー３を採用し、グローブ等の嵩、重量、コストを低減することが可能である。
【００３１】
しかも、本実施形態では、グローブ１０の手差込口１１を片手で引き締めることができるようにコードストッパー３を固定している解放引き手４と、片手で緩めることができる解放引き手４とが同一の部材（一体のパーツ）になっている点も特徴的である。例えば従来であればコード（絞り紐）を引いて締めることに重点が置かれていたが、本実施形態の絞り機構１では絞り時ばかりでなく解放時の操作をも十分に考慮した機構が形成されている。
【００３２】
さらに、本実施形態の絞り機構１は、従来のコードストッパー付き絞り機構をベースに解放引き手４を追加するのみで構成することができるという利点も有する。したがって、当該絞り機構１付きの衣類を製造するにあたり、従来の構造に大きな変更を加える必要がない。
【００３３】
なお、上述の実施形態は本発明の好適な実施の一例ではあるがこれに限定されるものではなく本発明の要旨を逸脱しない範囲において種々変形実施可能である。例えば本実施形態ではつまみ部４ｂの端部が略半円形状の解放引き手４を例示したが（図２等参照）、当該解放引き手４の形状や形態などは適宜変更してよい。例示すれば、つまみ部４ｂを幅広として指でつまみやすくしたり、つまみ部４の表面に滑り止め用の凹凸を付したりしてもよい。あるいは、解放引き手４にリングなどの別部材を付して修飾し、引っ張り動作をさらに容易にし、もしくはユーザーが視認しやすいよう目立たせるようにしてもよい。
【００３４】
また、上述の実施形態では絞り紐の一例としてコードを例示したが、この他、薄く平たいベルト状の紐などを絞り紐として用いてもよい。
【００３５】
また、本実施形態では衣類の一例としてグローブ１０を例示して説明したが、本発明にかかる絞り機構１は汎用性が高く、特に適用箇所が制限されるようなことはない。したがって、本発明は、例示したグローブのみならず、各種衣類（靴などを含む）の袖口、裾、開口などにも適用可能であり、さらには、衣類以外の物品（例えば巾着袋のような袋状物の開口など）に本発明を適用することも可能である。
【００３６】
また、本実施形態では、所定以上の外力で引っ張られた場合にコードストッパー（紐係止具）３に対してコード（絞り紐）２を解放するに足る外力を作用させる解放引き手４の一例として、コードストッパー３を囲繞してその周囲を取り巻くように構成されたものを説明したがこれも好適な一例にすぎない。例示すれば、コードストッパー３をグローブ（衣類）１０の一部に固着しておき、解放ボタン３ｂの押圧面とは反対側の面に解放引き手４の一端を取り付け、当該解放引き手４を引っ張ることによって解放ボタン３ｂを直接的にケーシング３ａ内に引き込むような構成とすることもできる。
【産業上の利用可能性】
【００３７】
本発明は、衣類等の絞り対象部に形成された紐通し部に挿通された絞り紐によって当該絞り対象部を絞るための絞り機構、特に、手にグローブを装着したまま片手で簡単かつ迅速に絞り紐を解放して緩めることが望まれる衣類等に適用して好適である。
【符号の説明】
【００３８】
１…絞り機構、２…コード（絞り紐）、３…コードストッパー（紐係止具）、３ａ…ケーシング（挟持部材）、３ｂ…解放ボタン（挟持部材）、４…解放引き手、４ａ…紐通し孔、５…絞り用引き手、１０…グローブ（衣類）、１１…グローブの手差込口（絞り対象部）、１２…紐通し部
【図１】
2011142957.tif 000003
【図２】
2011142957.tif 000004
【図３】
2011142957.tif 000005
【図４】
2011142957.tif 000006